(57)【要約】【課題】    簡単且つ安価な構成で部分塗装が行なえるとともに、部分塗装と全体塗装の双方の同時実施をも可能とした浸漬塗装方法及びその装置を提供する。【解決手段】  上部に空気溜３４を生成し得る構成をもつ冶具３内に上記ワーク１を、その一部が上記空気溜３４に臨むようにして配置し、これらワーク１と上記冶具３を一体的に塗料中に浸漬させて上記ワーク１に塗装を行なう。係る構成によれば、ワーク１とともに上記冶具３を塗料中に浸漬させることで、該ワーク１が冶具３の空気溜３４内とその下側の塗料内とに跨って存在し、未塗装部と塗装部をもつワーク１が得られる。即ち、冶具３を備えるという簡単且つ安価な構成でありながら、しかもマスキングを必要とすることなく、部分塗装品を容易に得ることができ、ワーク１に対する塗装コストの低廉化が実現される。【選択図】        図１
2007021402.tif 000002
【特許請求の範囲】
【請求項１】
ワーク（１）を塗料中に浸漬させて塗装する浸漬塗装方法であって、
上部に空気溜（３４）を生成し得る構成をもつ冶具（３）内に上記ワーク（１）を、その一部が上記空気溜３４に臨むようにして配置し、これらワーク（１）と上記冶具（３）を一体的に塗料中に浸漬させて上記ワーク（１）に塗装を行なうことを特徴とする浸漬塗装方法。
【請求項２】
請求項１において、
上記ワーク（１）と上記冶具（３）内の上記空気溜（３４）との上下方向における相対位置を変更することで上記ワーク（１）における未塗装部と塗装部の境界位置を調整することを特徴とする浸漬塗装方法。
【請求項３】
ワーク（１）を塗料中に浸漬させて塗装する浸漬塗装装置であって、
塗料内に浸漬されるハンガー（１０）に、上部に空気溜（３４）を生成し得る構成をもつ箱状の冶具（３）を取付けるとともに、該冶具（３）内には、上記ワーク（１）を掛止する掛止片（３５）が設けられていることを特徴とする浸漬塗装装置。
【請求項４】
請求項３において、
上記ハンガー（１０）には、上記ワーク（１）を掛止する掛止部（１１）が設けられていることを特徴とする浸漬塗装装置。
【発明の詳細な説明】
【技術分野】
【０００１】
本願発明は、ワークを塗料中に浸漬させて塗装する浸漬塗装方法及びその装置に関するものである。
【背景技術】
【０００２】
塗装方法の一つに浸漬塗装方法がある。この浸漬塗装方法は、塗料槽に満たされた塗料内にワークを浸漬し、該ワークの表面に塗装を施すものである。
【０００３】
一方、ワークに対する塗装形態としては、該ワークの表面全体に塗装を施す全面塗装と、該ワークの一部のみに塗装を施す部分塗装とがある。この部分塗装を行なう場合、従来一般には、塗装に際してワークの塗装不要部分にマスキングテープの貼付等によってマスキングをし、マスキングされたワークを塗料中に浸漬させて塗装した後、マスキングを除去して、未塗装部と塗装部をもつ部分塗装品を得るものである。
【０００４】
しかし、このようなマスキングによる部分塗装方法では、塗装に先立ってのマスキング作業と、塗装後のマスキング除去作業を必要とすることから、塗装作業性が低劣で、延いてはコストアップを招来するという問題があった。
【０００５】
係る問題を解決する一つの手段として、例えば、特許文献１に示される浸漬塗装方法がある。この浸漬塗装方法は、塗料槽の塗料内に、ハンガーに取付けられたワークを浸漬して塗装するものにおいて、上記ハンガーの降下位置（即ち、浸漬深さ）を一定に規定するとともに、上記塗料槽における塗料の液面位を常時一定に保持し得るようにし、該塗料槽の塗料内に上記ハンガーと共にワークを浸漬させ、未塗装部と塗装部をもつ部分塗装品を得るものであり、これによって、従来のようなマスキングを不要としたものである。
【０００６】
【特許文献１】特開２００２−１０２７６４号公報。
【発明の開示】
【発明が解決しようとする課題】
【０００７】
ところが、特許文献１に示される浸漬塗装方法では、ハンガーの降下位置を一定に保持するとともに塗料槽における塗料の液面位を常時一定に保持するための構成が複雑で、塗装装置が大型化し、且つ高価なものとなり、延いては塗装コストの上昇を招来するという問題があった。
【０００８】
さらに、ハンガーに取付けられたワークは、全て同一条件で塗装され、ワーク相互間で塗装形態を異ならせることができないことから、例えば、全体塗装品と部分塗装品を混在させた状態で同時に塗装することができず、浸漬塗装装置が全体塗装用又は部分塗装用に専用化される。また、塗装形態を、全体塗装と部分塗装との間で変更する場合には、ハンガー側と塗料槽側の双方での作業替えが必要であり、極めて面倒である。
【０００９】
そこで本願発明では、簡単且つ安価な構成で部分塗装が行なえるとともに、部分塗装と全体塗装の双方の同時実施をも可能とした浸漬塗装方法及びその装置を提供することを目的としてなされたものである。
【課題を解決するための手段】
【００１０】
本願発明ではかかる課題を解決するための具体的手段として次のような構成を採用している。
【００１１】
本願の第１の発明では、ワーク１を塗料中に浸漬させて塗装する浸漬塗装方法において、上部に空気溜３４を生成し得る構成をもつ冶具３内に上記ワーク１を、その一部が上記空気溜３４に臨むようにして配置し、これらワーク１と上記冶具３を一体的に塗料中に浸漬させて上記ワーク１に塗装を行なうことを特徴としている。
【００１２】
本願の第２の発明では、上記第１の配置に係る浸漬塗装方法において、上記ワーク１と上記冶具３内の上記空気溜３４との上下方向における相対位置を変更することで上記ワーク１における未塗装部と塗装部の境界位置を調整することを特徴としている。
【００１３】
本願の第３の発明では、ワーク１を塗料中に浸漬させて塗装する浸漬塗装装置において、塗料内に浸漬されるハンガー１０に、上部に空気溜３４を生成し得る構成をもつ箱状の冶具３を取付けるとともに、該冶具３内には、上記ワーク１を掛止する掛止片３５を設けたことを特徴としている。
【００１４】
本願の第４の発明では、上記第３の配置に係る浸漬塗装装置において、上記ハンガー１０に、上記ワーク１を掛止する掛止部１１を設けたことを特徴としている。
【発明の効果】
【００１５】
本願発明では次のような効果が得られる。
【００１６】
（ａ）本願の第１の発明に係る浸漬塗装方法では、上部に空気溜３４を生成し得る構成をもつ冶具３内に上記ワーク１を、その一部が上記空気溜３４に臨むようにして配置し、これらワーク１と上記冶具３を一体的に塗料中に浸漬させて上記ワーク１に塗装を行なうようにしているので、上記冶具３内に上記ワーク１を配置し、該ワーク１とともに上記冶具３を塗料中に浸漬させることで、上記冶具３の上部に空気溜３４が生成され、上記ワーク１は上記空気溜３４内とその下側の塗料内とに跨って存在することになる。そして、上記ワーク１のうち、上記空気溜３４内に臨んだ部分には塗装がされず、上記塗料中に浸漬された部分のみに塗装がされ、未塗装部と塗装部をもつ部分塗装品としてのワーク１が得られる。
【００１７】
このように、この発明の浸漬塗装方法によれば、上記冶具３を備えるという簡単且つ安価な構成によって、ワーク１に部分塗装を施すことができるものであり、例えば、特許文献１に示されるように、ハンガーの降下位置を一定に保持するとともに塗料槽における塗料の液面位を常時一定に保持することでワークに対する部分塗装を実現する場合に比して、塗装装置の構造が簡単で且つ安価なものとなり、延いてはワーク１に対する塗装コストの低廉化が実現される。
【００１８】
また、部分塗装に際してマスキングを必要としないことから、塗装前のマスキング施工作業及び塗装後のマスキング除去作業が不要であり、それだけ塗装コストの低廉化が促進されることは言うまでもない。
【００１９】
（ｂ）本願の第２の発明では、上記第１の発明に係る浸漬塗装方法において、上記ワーク１と上記冶具３内の上記空気溜３４との上下方向における相対位置を変更することで上記ワーク１における未塗装部と塗装部の境界位置を調整するようにしているので、例えば、特許文献１に示されるように、ハンガーの降下位置とか塗料槽における塗料の液面位を変化させることで上記調整を行なうものに比して、調整作業が容易である。
【００２０】
（ｃ）本願の第３の発明に係る浸漬塗装装置によれば、ワーク１を塗料中に浸漬させて塗装する浸漬塗装装置において、塗料内に浸漬されるハンガー１０に、上部に空気溜３４を生成し得る構成をもつ箱状の冶具３を取付けるとともに、該冶具３内には、上記ワーク１を掛止する掛止片３５を設けているので、上記冶具３内に上記ワーク１を、その一部が上記空気溜３４に臨むようにして配置し、該ワーク１とともに上記冶具３を塗料中に浸漬させると、上記冶具３の上部に空気溜３４が生成され、上記ワーク１は上記空気溜３４内とその下側の塗料内とに跨って存在し、上記ワーク１のうち、上記空気溜３４内に臨んだ部分には塗装がされず、上記塗料中に浸漬された部分のみに塗装がされ、未塗装部と塗装部をもつワーク１が得られる。
【００２１】
このように、この発明の浸漬塗装装置によれば、上記ハンガー１０に上記冶具３を備えるという簡単且つ安価な構成によって、ワーク１に部分塗装を施すことができるものであり、例えば、特許文献１に示されるように、ハンガーの降下位置を一定に保持するとともに塗料槽における塗料の液面位を常時一定に保持することでワークに対する部分塗装を実現する場合に比して、構造が簡単で且つ安価な浸漬塗装装置を提供できる。
【００２２】
しかも、この場合、部分塗装に際してマスキングを必要としないことから、塗装前のマスキング施工作業及び塗装後のマスキング除去作業が不要であり、それだけ塗装コストの低廉化が促進される。
【００２３】
（ｄ）本願の第４の発明では、上記第３の発明に係る浸漬塗装装置において、上記ハンガー１０に、上記ワーク１を掛止する掛止部１１を設けているので、上記冶具３に設けられた掛止片３５に上記ワーク１を掛止するとともに、上記ハンガー１０に直接設けられた上記掛止部１１にも上記ワーク１を掛止し、この状態で上記ハンガー１０を塗料中に浸漬させることで、上記冶具３側に掛止された上記ワーク１には部分塗装が施され、上記掛止部１１に掛止された上記ワーク１には全体塗装が施されることになる。
【００２４】
従って、この浸漬塗装装置においては、単一のハンガー１０に上記冶具３と上記掛止部１１を混在状態で設けることで、部分塗装品と全体塗装品を同時に得ることができ、例えば、特許文献１に示されるもののように、部分塗装品と全体塗装品を同時に得ることができない構成である場合に比して、塗装形態の多様化が図れ、延いては塗装コストの低減が可能となる。
【発明を実施するための最良の形態】
【００２５】
以下、本願発明を好適な実施形態に基づいて具体的に説明する。
【００２６】
図１には、本願発明の実施形態に係る浸漬塗装装置Ｚを示している。この浸漬塗装装置Ｚは、既存の浸漬塗装装置、即ち、全体塗装又はマスキングに依る部分塗装を行なう浸漬塗装装置を、全体塗装とマスキングに依らない部分塗装を同時に行なうことができるようにしたものであり、次述のハンガー１０を備えている。
【００２７】
この実施形態における上記ワーク１は、図５に示すように縦長のプレス一体成形品で構成され、その上端側には掛止孔２が設けられている。そして、このワーク１は、その全体が塗装される全体塗装と、図６に示すように、上端寄り部分（ハッチングを付していない部分）は塗装をせず未塗装部１Ａとして残し、下端寄り部分（ハッチングを付した部分）のみに塗装をしてこれを塗装部１Ｂとする部分塗装の何れかの塗装形態が適用されるものであって、この実施形態では、後述のように、上記ワーク１に対して全体塗装と部分塗装を同時に行なうことができるようにしている。尚、この場合、上記ワーク１における上記塗装部１Ｂの上端位置、即ち、上記未塗装部１Ａと塗装部１Ｂの境界位置は、さほど厳密に規定する必要はなく、若干の上下変動は（具体的には、後述する冶具３のハンガー１０に対する取付位置の相違に起因して該冶具３に作用する水頭圧が変化することによる塗料液面４０の上下変動幅程度）許容される。
【００２８】
上記ハンガー１０は、多段枠状に形成され、図示しない搬送装置によって搬送されて塗料槽の塗料中に浸漬されるものであって、横方向に延びる支持材１２には尖先板状の掛止部１１が所定間隔で多数取付けられるとともに、本来、上記掛止部１１が取付けられるべき位置の幾つかには本願発明の主体をなす次述の冶具３が所定個数取付けられている。
【００２９】
上記冶具３は、図２及び図３に示すように、下面が開口した所定大きさの開底箱体で構成されるものであって、その平面長軸方向の中央部には、その内室を左右二室に区画するように隔壁３３が設けられている。また、この隔壁３３の上部寄り部位には、上記各区画室の内部側へ延出するようにして尖先板状の掛止片３５がそれぞれ設けられている。
【００３０】
このように構成された上記冶具３は、上記ハンガー１０の支持材１２に対して、その開口側を下方に向けた状態で取付けられる。そして、上記冶具３の上記各区画室は、図３に示すように、上記冶具３が塗料中に浸漬されると、該冶具３内の塗料液面４０は、水頭圧と空気内圧が均衡するまで上記開口端より上方に上昇し、該塗料液面４０より上側には空気溜３４が生成されるものである。
【００３１】
この浸漬塗装装置Ｚ１を使用して一部のワーク１に全体塗装を、他のワーク１に部分塗装を、同時に施す場合を例にとって、その作業手順等を説明すると以下の通りである。
【００３２】
先ず、図１に示すように、上記ハンガー１０の上記各掛止部１１に全体塗装を施すワーク１を、又上記各冶具３の上記掛止片３５には部分塗装を施すワーク１を、それぞれ掛止する。
【００３３】
しかる後、上記ハンガー１０を搬送装置によって塗料槽側へ搬送し、これを該塗料槽内の塗料中に浸漬させる（図１に示す状態）。
【００３４】
すると、上記掛止部１１に掛止されたワーク１はその全体が塗料中に浸漬されるので、その全体に塗装が施され、全体塗装品とされる。
【００３５】
これに対して、上記冶具３内の上記掛止片３５に掛止された上記ワーク１は、図３に示すように、その上部寄り部分は上記冶具３内の塗料液面４０より上方にあって上記空気溜３４に臨む一方、その下部寄り部分は塗料中に浸漬される。従って、上記ワーク１のうち、上記空気溜３４に臨んだ部分は未塗装のまま保持され、塗料に浸漬された部分は塗装が施されることになり、最終的に、図６に示すように、その上部が未塗装部１Ａとされ、下部が塗装部１Ｂとされた部分塗装品が得られるものである。
【００３６】
尚、図１では、上記冶具３内にそれぞれワーク１を２個掛止する構成のものを示したが、これは上記ワーク１が比較的大型品である場合に有効である。しかし、本願発明は係る構成に限定されるものではなく、例えば、図４に示すように、上記ハンガー１０に大型の冶具３を取り付け、該冶具３内に多数のワーク１を掛止して塗装するようにすることもできる。係る構成は、上記ワーク１が比較的小型である場合に有効な構造である。
【００３７】
以上のように構成された浸漬塗装装置Ｚにおいては以下のような効果が得られる。
【００３８】
上記浸漬塗装装置Ｚでは、上部に空気溜３４を生成し得る構成をもつ上記冶具３内に上記ワーク１を、その一部が上記空気溜３４に臨むようにして配置し、これらワーク１と上記冶具３を一体的に塗料中に浸漬させる構成であることから、マスキングを施さなくても、上記ワーク１の上記空気溜３４内に臨んだ部分には塗装がされず、上記塗料中に浸漬された部分のみに塗装がされ、容易に部分塗装品が得られる。従って、部分塗装を行なうに際してマスキングを行ない、且つ塗装後、マスキングを除去する場合に比して、塗装作業が極めて簡便化され、塗装コストの低廉化が図れるものである。
【００３９】
また、この実施形態の浸漬塗装装置Ｚによれば、上記ハンガー１０に上記冶具３を備えるという簡単且つ安価な構成によって、上記ワーク１に部分塗装を施すことができるものであり、例えば、従来のように、ハンガーの降下位置を一定に保持するとともに塗料槽における塗料の液面位を常時一定に保持することでワークに対する部分塗装を実現する構成の場合に比して、浸漬塗装装置Ｚの構造が簡単で且つ安価なものとなる。
【００４０】
さらに、この実施形態の浸漬塗装装置Ｚでは、上記ワーク１と上記冶具３内の上記空気溜３４との上下方向における相対位置を変更することで上記ワーク１における未塗装部と塗装部の境界位置を調整することができるので、例えば、従来のように、ハンガーの降下位置とか塗料槽における塗料の液面位を変化させることで上記調整を行なうものに比して、調整作業が容易である。
【００４１】
また、この実施形態の浸漬塗装装置Ｚでは、上記ハンガー１０に、上記冶具３と上記掛止部１１を混在状態で設けることで、部分塗装品と全体塗装品を同時に得ることができ、例えば、従来のように部分塗装品と全体塗装品を同時に得ることができない構成である場合に比して、塗装形態の多様化が図れ、延いては塗装コストの低減が可能となる。
【図面の簡単な説明】
【００４２】
【図１】本願発明の実施形態に係る浸漬塗装装置の要部斜視図である。
【図２】図１のＩＩ部の拡大図である。
【図３】図２のＩＩＩ矢視断面図である。
【図４】本願発明の他の実施形態に係る浸漬塗装装置の要部斜視図である。
【図５】未塗装状態におけるワークの斜視図である。
【図６】部分塗装語におけるワークの斜視図である。
【符号の説明】
【００４３】
１      ・・ワーク
１Ａ    ・・未塗装部
１Ｂ    ・・塗装部
２      ・・掛止孔
３      ・・冶具
１０    ・・ハンガー
１１    ・・掛止部
１２    ・・支持材
３１    ・・周壁
３２    ・・開口
３３    ・・隔壁
３４    ・・空気溜
３５    ・・掛止片
４０    ・・塗料液面
４１    ・・塗料液面
Ｚ    ・・浸漬塗装装置
【図１】
2007021402.tif 000003
【図２】
2007021402.tif 000004
【図３】
2007021402.tif 000005
【図４】
2007021402.tif 000006
【図５】
2007021402.tif 000007
【図６】
2007021402.tif 000008